(57)【要約】【課題】前後二重のスクリーンの相対移動による採光量の調整時、更には昇降操作の切り替え時に、錘部材の大型化を抑えつつ錘部材が上下動することを防止可能としたロールスクリーンを提供する。【解決手段】本発明のロールスクリーンは、前後二重のスクリーン５ａ，５ｂを吊下するロールスクリーンであって、２本の巻取軸４ａ，４ｂと、この２本の巻取軸４ａ，４ｂの回転を操作可能とする操作装置１０とを備える。操作装置１０は、当該前後二重のスクリーン５ａ，５ｂの重なり具合により調光操作する際に、巻取軸４ｂから第２スクリーン５ｂを巻き取る回転量に対して、巻取軸４ａにて第１スクリーン５ａを巻き戻す回転量をほぼ等しく操作可能とし、且つ巻取軸４ｂから第２スクリーン５ｂを巻き戻す回転量に対して、巻取軸４ａにて第１スクリーン５ａを巻き取る回転量をほぼ等しく操作可能な回転伝達機構を備える。【選択図】図１
2018035565.tif 000002
【特許請求の範囲】
【請求項１】
前後二重のスクリーンを吊下するロールスクリーンであって、
２本の巻取軸と、
前記２本の巻取軸の回転を操作可能とする操作装置とを備え、
前記操作装置は、当該前後二重のスクリーンを構成する第１のスクリーン及び第２のスクリーンの重なり具合により調光操作する際に、一方の巻取軸から前記第１のスクリーンを巻き取る回転量に対して、他方の巻取軸にて前記第２のスクリーンを巻き戻す回転量をほぼ等しく操作可能とし、且つ前記一方の巻取軸から前記第１のスクリーンを巻き戻す回転量に対して、前記他方の巻取軸にて前記第２のスクリーンを巻き取る回転量をほぼ等しく操作可能な回転伝達機構を備えることを特徴とするロールスクリーン。
【請求項２】
前記回転伝達機構は、前記第１のスクリーン及び前記第２のスクリーンを昇降操作する際に、前記一方の巻取軸から前記第１のスクリーンを巻き取るときには前記他方の巻取軸から前記第２のスクリーンを巻き取り、前記一方の巻取軸から前記第１のスクリーンを巻き戻すときには前記他方の巻取軸から前記第２のスクリーンを巻き戻すよう動作することを特徴とする、請求項１に記載のロールスクリーン。
【請求項３】
前記回転伝達機構は、調光操作から上昇操作へ連続的に移行する際、或いは調光操作から下降操作へ連続的に移行する際に、前記一方の巻取軸の回転方向と前記他方の巻取軸の回転方向の相対関係が、逆の回転方向の相対関係となるよう連続的に切り替わるよう構成されていることを特徴とする、請求項１又は２に記載のロールスクリーン。
【請求項４】
前記回転伝達機構は、前記一方の巻取軸の回転を前記他方の巻取軸の回転へと伝達する際に、調光操作用の回転伝達経路の歯車構成と、昇降操作用の回転伝達経路の歯車構成とを備えることを特徴とする、請求項１から３のいずれか一項に記載のロールスクリーン。
【請求項５】
前記昇降操作用の回転伝達経路の歯車構成は、第１伝達経路として、前記一方の巻取軸を回転させるための駆動歯車、前記他方の巻取軸を回転させるための被動歯車、及び、前記駆動歯車の回転を直接又は間接的に遊び角を持たせて前記被動歯車へ伝達する第１の伝達歯車ユニットを含み、
前記調光操作用の回転伝達経路の歯車構成は、第２伝達経路として、前記駆動歯車の回転を直接又は間接的に切替角を持たせて前記被動歯車へ伝達するとともに、前記第１伝達経路による回転伝達の有無の状態に応じて当該第２の第２伝達経路による回転伝達を切り替える第２の伝達歯車ユニットを含むことを特徴とする、請求項４に記載のロールスクリーン。
【請求項６】
前記第２の伝達歯車ユニットは、前記第１伝達経路により前記駆動歯車から前記被動歯車へ回転伝達している間は、前記第２伝達経路による前記駆動歯車から前記被動歯車へ回転伝達を遮断し、前記第１伝達経路により前記駆動歯車から前記被動歯車へ回転伝達していない間は、前記第２伝達経路による前記駆動歯車から前記被動歯車へ回転伝達を行うカムクラッチ機構を有することを特徴とする、請求項５に記載のロールスクリーン。
【請求項７】
前記第１伝達経路及び前記第２伝達経路は、前記操作装置内で前記２本の巻取軸の軸方向に対し略垂直方向となる前後方向に分離して構成されているか、前記操作装置内で前記２本の巻取軸の軸方向に対し略平行方向となる左右方向に分離して構成されているか、或いは前記第１伝達経路と前記第２伝達経路を一体的な切替機構として構成されていることを特徴とする、請求項５又は６に記載のロールスクリーン。
【発明の詳細な説明】
【技術分野】
【０００１】
本発明は、複数枚のスクリーンを重ね合わせた状態で吊下支持するロールスクリーンに関し、特に、そのスクリーンの重なり方を調節することにより、室内への採光量を調整可能としたロールスクリーンに関する。
【背景技術】
【０００２】
従来、二重に重ね合わせたスクリーンを上下方向に相対移動させて室内への採光量を調節可能としたロールスクリーンが提案されている（例えば、特許文献１参照）。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【０００４】
また、２枚のスクリーンを重ね合わせ、それぞれのスクリーンの上端部をそれぞれ別個の巻取軸に巻き取り、或いは巻き戻してスクリーンを昇降可能としたロールスクリーンが開示されている（例えば、特許文献２，３参照）。特許文献２，３に開示されるロールスクリーンでは、操作紐の操作により、常には各巻取軸が同期して同方向に回転されて、２枚のスクリーンが同時に昇降される。また、採光量の調整時には、スクリーンの昇降操作の後、操作紐を逆方向に操作すると、一方の巻取軸のみが所定の回転角度内で回転されて、透光部と遮光部が上下方向に相対移動することにより、透光部に対する遮光部の重なり幅を調整し採光量を調節可能としている。尚、特許文献３に開示されるロールスクリーンでは、スクリーンの相対移動範囲を外部から調整可能としている。
【０００５】
一方、２枚のスクリーンを重ね合わせ、それぞれのスクリーンの上端部を二重構造の巻取軸で巻き取り、或いは巻き戻してスクリーンを昇降可能としたロールスクリーンが開示されている（例えば、特許文献４参照）。特許文献４の技法では、それぞれのスクリーンの下端部にそれぞれ個別に２つのウェイトバーを取着し、この２つのウェイトバーを収容する単一のカバーを設け、このカバーを２つのウェイトバーに対し自重により相対移動可能にして、透光部に対する遮光部の重なり幅を調整する際に、２つのウェイトバーの相対的な上下動をそのカバー内部で行わせるように構成している。
【先行技術文献】
【特許文献】
【０００６】
【特許文献１】特許第３３４９８１２号明細書
【特許文献２】特許第４９５５１０２号明細書
【特許文献３】特許第５５３９８３６号明細書
【特許文献４】特許第４８００８７６号明細書
【発明の概要】
【発明が解決しようとする課題】
【０００７】
特許文献１，２，３に開示される技法では、透光部に対する遮光部の重なり幅を調整して採光量を調節する際に、スクリーンの下限に設けられるウェイトバーの高さが上下動してしまうという問題がある。このようなウェイトバーの高さの上下動が生じると、ウェイトバーの下端部からの光漏れが生じることや、気密性を損なうなどの問題が生じる。
【０００８】
また、特許文献４に開示される技法では、２つのウェイトバーを収容する単一のカバーが当該採光量の調整に必要な分だけ高さ方向に大型化してしまい意匠性を損なうという問題がある。
【０００９】
このため、前後二重のスクリーンの相対移動による採光量の調整時、更には昇降操作の切り替え時に、錘部材（ウェイトバー及びボトムカバー）の大型化を抑えつつウェイトバーの上下動を防止し、特に下限位置にある錘部材により、採光量を調節可能な態様でその下方からの光漏れを防止することや、通気量を調節可能な態様で気密性を高める技法が望まれる。
【００１０】
本発明の目的は、上述の問題に鑑みて、前後二重のスクリーンの相対移動による採光量の調整時、更には昇降操作の切り替え時に、錘部材の大型化を抑えつつ錘部材が上下動することを防止可能としたロールスクリーンを提供することにある。
【課題を解決するための手段】
【００１１】
本発明のロールスクリーンは、前後二重のスクリーンを吊下するロールスクリーンであって、２本の巻取軸と、前記２本の巻取軸の回転を操作可能とする操作装置とを備え、前記操作装置は、当該前後二重のスクリーンを構成する第１のスクリーン及び第２のスクリーンの重なり具合により調光操作する際に、一方の巻取軸から前記第１のスクリーンを巻き取る回転量に対して、他方の巻取軸にて前記第２のスクリーンを巻き戻す回転量をほぼ等しく操作可能とし、且つ前記一方の巻取軸から前記第１のスクリーンを巻き戻す回転量に対して、前記他方の巻取軸にて前記第２のスクリーンを巻き取る回転量をほぼ等しく操作可能な回転伝達機構を備えることを特徴とする。
【００１２】
また、本発明のロールスクリーンにおいて、前記回転伝達機構は、前記第１のスクリーン及び前記第２のスクリーンを昇降操作する際に、前記一方の巻取軸から前記第１のスクリーンを巻き取るときには前記他方の巻取軸から前記第２のスクリーンを巻き取り、前記一方の巻取軸から前記第１のスクリーンを巻き戻すときには前記他方の巻取軸から前記第２のスクリーンを巻き戻すよう動作することを特徴とする。
【００１３】
また、本発明のロールスクリーンにおいて、前記回転伝達機構は、調光操作から上昇操作へ連続的に移行する際、或いは調光操作から下降操作へ連続的に移行する際に、前記一方の巻取軸の回転方向と前記他方の巻取軸の回転方向の相対関係が、逆の回転方向の相対関係となるよう連続的に切り替わるよう構成されていることを特徴とする。
【００１４】
また、本発明のロールスクリーンにおいて、前記回転伝達機構は、前記一方の巻取軸の回転を前記他方の巻取軸の回転へと伝達する際に、調光操作用の回転伝達経路の歯車構成と、昇降操作用の回転伝達経路の歯車構成とを備えることを特徴とする。
【００１５】
また、本発明のロールスクリーンにおいて、前記昇降操作用の回転伝達経路の歯車構成は、第１伝達経路として、前記一方の巻取軸を回転させるための駆動歯車、前記他方の巻取軸を回転させるための被動歯車、及び、前記駆動歯車の回転を直接又は間接的に遊び角を持たせて前記被動歯車へ伝達する第１の伝達歯車ユニットを含み、前記調光操作用の回転伝達経路の歯車構成は、第２伝達経路として、前記駆動歯車の回転を直接又は間接的に切替角を持たせて前記被動歯車へ伝達するとともに、前記第１伝達経路による回転伝達の有無の状態に応じて当該第２の第２伝達経路による回転伝達を切り替える第２の伝達歯車ユニットを含むことを特徴とする。
【００１６】
また、本発明のロールスクリーンにおいて、前記第２の伝達歯車ユニットは、前記第１伝達経路により前記駆動歯車から前記被動歯車へ回転伝達している間は、前記第２伝達経路による前記駆動歯車から前記被動歯車へ回転伝達を遮断し、前記第１伝達経路により前記駆動歯車から前記被動歯車へ回転伝達していない間は、前記第２伝達経路による前記駆動歯車から前記被動歯車へ回転伝達を行うカムクラッチ機構を有することを特徴とする。
【００１７】
また、本発明のロールスクリーンにおいて、前記第１伝達経路及び前記第２伝達経路は、前記操作装置内で前記２本の巻取軸の軸方向に対し略垂直方向となる前後方向に分離して構成されているか、前記操作装置内で前記２本の巻取軸の軸方向に対し略平行方向となる左右方向に分離して構成されているか、或いは前記第１伝達経路と前記第２伝達経路を一体的な切替機構として構成されていることを特徴とする。
【発明の効果】
【００１８】
本発明によれば、前後二重のスクリーンを相対移動させる際に、特に、前後二重のスクリーンの相対移動による採光量の調整時、更には昇降操作の切り替え時に、錘部材の大型化を抑えつつ錘部材の上下動を防止可能となる。
【図面の簡単な説明】
【００１９】
【図１】本発明による第１実施形態のロールスクリーンの概略構成を示す正面図である。
【図２】本発明による第１実施形態のロールスクリーンの概略構成を示す断面側面図である。
【図３】本発明による第１実施形態のロールスクリーンにおける一実施例の操作装置の概略構成を示す断面側面図である。
【図４】（ａ），（ｂ），（ｃ）は、それぞれ本発明に係る一実施例の操作装置における第１伝達経路の歯車構成を概略的に示す斜視図である。
【図５】（ａ），（ｂ）は、それぞれ本発明に係る一実施例の操作装置における第１伝達経路内の遊び付き伝達歯車ユニットの遊び回転量を説明するための側面図である。
【図６】（ａ），（ｂ），（ｃ），（ｄ）は、それぞれ本発明に係る一実施例の操作装置における第２伝達経路の歯車構成を概略的に示す斜視図である。
【図７】（ａ）は、本発明に係る一実施例の操作装置における第２伝達経路内のカムクラッチ付き伝達歯車ユニットの概略構成を示す分解斜視図であり、（ｂ）は当該カムクラッチ付き伝達歯車ユニットの一部を構成する切替ドラムについて、その外表面の一周分の展開状態を示す図である。
【図８】（ａ）は、本発明に係る一実施例の操作装置における調光操作時の動作例を示す側面図であり、（ｂ）は、当該カムクラッチ付き伝達歯車ユニットにおける調光操作時の概略動作とその拡大断面視を示す正面断面図である。
【図９】（ａ）は、本発明に係る一実施例の操作装置における上昇操作時の動作例を示す側面図であり、（ｂ）は、当該カムクラッチ付き伝達歯車ユニットにおける上昇操作時の概略動作とその拡大断面視を示す正面断面図である。
【図１０】（ａ），（ｂ），（ｃ）は、それぞれ本発明による第１実施形態のロールスクリーンの停止時、調光操作時、及び上昇操作時の動作を概略的に示す断面側面図である。
【図１１】（ａ），（ｂ）は、それぞれ本発明による第２実施形態のロールスクリーンの概略構成と、操作装置の概略構成を示す断面側面図である。
【図１２】（ａ）乃至（ｃ）は、それぞれ本発明による各実施形態のロールスクリーンに適用可能な変形例の生地を持つスクリーンの概略構成を示す正面図である。
【発明を実施するための形態】
【００２０】
以下、図面を参照して、本発明による各実施形態のロールスクリーンを説明する。尚、本願明細書中、図１に示すロールスクリーンの正面図に対して、図示上方及び図示下方をスクリーンの吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００２１】
〔第１実施形態〕
（ロールスクリーンの構成）
まず、本発明による第１実施形態のロールスクリーンを図面に従って説明する。図１及び図２に示す第１実施形態のロールスクリーンは、取付ブラケット１を介して窓枠等の取付面に取着されるフレーム２の両端に支持ブラケット３が取着され、その支持ブラケット３に２本の巻取軸４ａ，４ｂが回転可能に支持されている。
【００２２】
巻取軸４ａ，４ｂは、支持ブラケット３に上下方向に所定の間隔を隔てて支持されるとともに、前後方向に僅かにオフセットした状態で支持されている。
【００２３】
巻取軸４ａには室外側の第１スクリーン５ａの上端部が取着され、巻取軸４ｂには室内側の第２スクリーン５ｂの上端部が取着されている。そして、第１及び第２スクリーン５ａ，５ｂはそれぞれ巻取軸４ａ，４ｂから近接して重ね合わされるように垂下されている。
【００２４】
本例では、特に、図２に示すように、巻取軸４ａ，４ｂでは、それぞれその室外側から第１及び第２スクリーン５ａ，５ｂを支持する構成としている。
【００２５】
巻取軸４ａ，４ｂ内には、それぞれ第１及び第２スクリーン５ａ，５ｂの巻上時の操作力を軽減するスプリングモーター４１、及び各巻取軸４ａ，４ｂの回転トルクに所定の制動力を付与するブレーキユニット４２等が収容されている。
【００２６】
そして、第１及び第２スクリーン５ａ，５ｂの下端部はウェイトバー６に取着され（図２参照）、そのウェイトバー６の両端は上方を開口したボトムカバー７に回動可能に支持されている。そして、第１及び第２スクリーン５ａ，５ｂはボトムカバー７内からその開口部へ経て上方へ案内されている。このようなウェイトバー６及びボトムカバー７は、錘部材として構成される。
【００２７】
第１及び第２スクリーン５ａ，５ｂは、光を透過する透光部８と、光を遮光する遮光部９が等間隔で上下方向に縞状に形成されている。そして、第１及び第２スクリーン５ａ，５ｂの透光部８が重なる状態では、その透光部８から外光を採り入れ可能であり、第１及び第２スクリーン５ａ，５ｂの透光部８と遮光部９が重なる状態では、外光を遮断可能となっている。
【００２８】
尚、第１及び第２スクリーン５ａ，５ｂに設けられる透光部８は高通気性とし、遮光部９は低通気性を持つよう構成することができる。従って、透光部８に対する遮光部９の重なり幅を調整することで、その通気性を調節することもできる。
【００２９】
図１に示す右方の支持ブラケット３には操作装置１０が取着され、その操作装置１０から無端状のボールチェーン１１が垂下されている。そして、ボールチェーン１１の操作により、巻取軸４ａ，４ｂを同方向に同一速度で回転させて、第１及び第２スクリーン５ａ，５ｂを一括して昇降可能となっている。
【００３０】
また、第１及び第２スクリーン５ａ，５ｂを昇降操作した後に、ボールチェーン１１を逆方向に引くと、下方の巻取軸４ｂのみを所定角度に限り回転させて、第１及び第２スクリーン５ａ，５ｂを上下方向に相対移動操作可能となっている。
【００３１】
ボールチェーン１１は、コネクタ１２で連結されて無端状に形成されるとともに、第１及び第２スクリーン５ａ，５ｂの昇降範囲を規制する規制部材１３ａ，１３ｂが取着されている。
【００３２】
そして、第１及び第２スクリーン５ａ，５ｂが上限まで引き上げられたとき、規制部材１３ａは操作装置１０のケース１４の背面側に当接して、ボールチェーン１１の同方向へのそれ以上の操作が阻止される。また、第１及び第２スクリーン５ａ，５ｂが下限まで下降したとき、規制部材１３ｂはケース１４の前面側に当接して、ボールチェーン１１の同方向へのそれ以上の操作が阻止される。
【００３３】
コネクタ１２は、ボールチェーン１１のボールを係止するボール係止部と、そのボール係止部を連結する連結部とで構成され、あらかじめ設定された引張り力以上の力で引っ張られると、ボール係止部が連結部から外れるようになっている。
【００３４】
（操作装置）
次に、操作装置１０の具体的構成を説明する。図１に示すように、操作装置１０のケース１４内にはプーリー１５が回転可能に支持され、そのプーリー１５にボールチェーン１１が掛装されている。そして、ボールチェーン１１の操作によりプーリー１５が正逆方向に回転される。
【００３５】
そして、操作装置１０は、図３に示す構造により、第１及び第２スクリーン５ａ，５ｂの昇降操作と、透光部８と遮光部９の重なり具合を調整する調光操作を可能とする機能を有している。
【００３６】
より具体的に、図３に示すように、操作装置１０は、駆動歯車１６、遊び付き伝達歯車ユニット１７、伝達歯車２１、カムクラッチ付き伝達歯車ユニット２２、及び被動歯車３１を備える。
【００３７】
操作装置１０のケース１４内の下方において駆動歯車１６がケース１４に回転可能に支持され、当該ケース１４内の上方において被動歯車３１がケース１４に回転可能に支持されている。
【００３８】
駆動歯車１６の中心軸は、巻取軸４ｂの中心軸と同軸上にあり、駆動歯車１６は、巻取軸４ｂの右端部側に位置して相対回転不能に係合している。また、被動歯車３１の中心軸は、巻取軸４ａの中心軸と同軸上にあり、被動歯車３１は、巻取軸４ａの右端部側に位置して相対回転不能に係合している。
【００３９】
駆動歯車１６と被動歯車３１の歯数は同数であり、ボールチェーン１１の操作に基づいて回転される駆動歯車１６から、遊び付き伝達歯車ユニット１７とカムクラッチ付き伝達歯車ユニット２２のいずれか一方を介して回転力が付与される。
【００４０】
このとき、詳細は後述するが、昇降操作の動作時においては駆動歯車１６の回転に基づいて被動歯車３１は駆動歯車１６と同方向に同一速度で回転されるが、調光操作の動作時においては駆動歯車１６の回転に基づいて被動歯車３１は駆動歯車１６と逆方向に同一速度で回転されるようになっている。そして、ボールチェーン１１の操作に基づいて一方向へ回転される駆動歯車１６により、調光操作から上昇操作へ（或いは調光操作から下降操作へ）連続的に被動歯車３１の回転が切り替わるようになっている。
【００４１】
即ち、操作装置１０のケース１４内には、第１及び第２スクリーン５ａ，５ｂの昇降操作時に作動する第１伝達経路ＴＲ１と、第１及び第２スクリーン５ａ，５ｂの調光操作時に作動する第２伝達経路ＴＲ２が設けられている。つまり、第１伝達経路ＴＲ１は、昇降操作時に、駆動歯車１６から遊び付き伝達歯車ユニット１７を介して被動歯車３１へ回転を伝達する。一方、第２伝達経路ＴＲ２は、調光操作時に、駆動歯車１６から伝達歯車２１及びカムクラッチ付き伝達歯車ユニット２２を介して被動歯車３１へ回転を伝達する。
【００４２】
（第１伝達経路）
第１伝達経路ＴＲ１は、図４（ａ），（ｂ），（ｃ）にそれぞれ示すように、駆動歯車１６、遊び付き伝達歯車ユニット１７、及び被動歯車３１がそれぞれ噛合されて構成される。
【００４３】
被動歯車３１は、図４（ａ）に示すように、その中心軸孔３１１がケース１４から延びる円柱軸により回転可能に支持されている。また、駆動歯車１６は、図４（ｃ）に示すように、ボールチェーン１１を掛装可能とするプーリー１５が一体に形成され、その中心軸孔１６１がケース１４から延びる円柱軸により回転可能に支持されている。
【００４４】
そして、第１伝達経路ＴＲ１を構成するための遊び付き伝達歯車ユニット１７は、図４（ｂ）に示すように、伝達歯車１８、中間カラー１９、及び伝達歯車２０から構成される。本例では、この２つの伝達歯車１８，２０の歯数は同数としている。
【００４５】
伝達歯車１８は、駆動歯車１６に噛み合うよう構成され、その中心軸孔１８１がケース１４から延びる円柱軸により回転可能に支持されている。また、伝達歯車１８の図示右方の面には筒部１８５が突出しており、この筒部１８５の内周面を構成する回転案内凹部１８２上には、径方向に扇状に突出する伝達片１８３が形成されている。
【００４６】
中間カラー１９は、伝達歯車１８の回転について遊び角θを持って伝達歯車２０へと伝達するよう連結する部材であり、大径部１９３と小径部１９４の二段円筒状の外形を有して、その中心軸孔１９１がケース１４から延びる当該円柱軸により伝達歯車１８と同軸で回転可能に支持されている。また、大径部１９３における図示左方の面には軸方向に扇状に突出する伝達片１９２が形成されている。そして、小径部１９４における図示右方の面には軸方向に扇状に突出する伝達片１９５が形成されている。
【００４７】
この中間カラー１９の大径部１９３は、伝達歯車１８の回転案内凹部１８２によって回動可能に支持され、中間カラー１９の伝達片１９２が伝達歯車１８の伝達片１８３に対し同一の回動軌跡上に位置するようになっている。従って、図５（ａ）に示すように、伝達歯車１８の伝達片１８３の回転が中間カラー１９の伝達片１９２に対し遊び角θ１を持って回転伝達可能となっている。
【００４８】
伝達歯車２０は、被動歯車３１に噛み合うよう構成され、図示左方の２段状の各中心軸孔２０１，２０２と図示右方の中心軸孔２０３が連続的に形成されている。中心軸孔２０１は伝達歯車１８における筒部１８５の外周壁を回動可能に支持し、中心軸孔２０２は中間カラー１９の小径部１９４を回動可能に支持するようになっている。また、中心軸孔２０３はケース１４から延びる当該円柱軸により伝達歯車１８及び中間カラー１９と同軸で回転可能に支持される。
【００４９】
また、伝達歯車２０の中心軸孔２０２上には、中心軸孔２０３との境界位置で径方向に扇状に突出する伝達片２０４が形成されており、この伝達片２０４が中間カラー１９の伝達片１９５に対し同一の回動軌跡上に位置するようになっている。従って、図５（ｂ）に示すように、中間カラー１９の伝達片１９５が伝達歯車２０の伝達片２０４に対し遊び角θ２を持って回転伝達可能となっている。
【００５０】
つまり、遊び付き伝達歯車ユニット１７は、伝達歯車１８の回転について遊び角θ１とθ２の和でほぼ規定される遊び角θを持って伝達歯車２０へと伝達され、θ＞３６０度となる場合でも構成可能となっている。尚、遊び角θは、透光部８の上下幅と、巻取軸４ａ，４ｂの径と、各歯車の歯数によって決まる角度であり、第１及び第２スクリーン５ａ，５ｂにおける透光部８と遮光部９との重なり具合に関する調節範囲に依存している。そこで、必要とする遊び角θ＜３６０度であれば、中間カラー１９を、伝達歯車１８か、又は伝達歯車２０に一体化させた形態とすることも可能である。
【００５１】
このように形成される第１伝達経路ＴＲ１は、第１及び第２スクリーン５ａ，５ｂの昇降操作時に駆動歯車１６の回転を遊び付き伝達歯車ユニット１７を介して被動歯車３１へ同方向に同一速度で回転伝達する経路であるが、調光操作時では、当該遊び角θ（即ち、空回り角度）により、駆動歯車１６の回転が遊び付き伝達歯車ユニット１７を介して被動歯車３１へ伝達されないようになっている。
【００５２】
従って、第１及び第２スクリーン５ａ，５ｂの昇降操作時には、駆動歯車１６の回転に基づいて巻取軸４ｂが回転され、駆動歯車１６の回転に基づいて、遊び付き伝達歯車ユニット１７により当該遊び角θ（即ち、空回り角度）を有して被動歯車３１が回転すると、巻取軸４ａが同一速度で同方向に回転するようになっている。
【００５３】
即ち、第１伝達経路ＴＲ１の観点からは、図２に示すように巻取軸４ｂを回転させる駆動歯車１６が矢印Ａ方向に回転するとき、図４（ｂ）に示す遊び付き伝達歯車ユニット１７にて伝達片１８３が伝達片１９２に当接し、更には伝達片１９５が伝達片２０４に当接するまでの角度範囲（遊び角θ）では、駆動歯車１６の回転が被動歯車３１へと回転伝達させないが、当該遊び角θを経ると駆動歯車１６の回転が被動歯車３１へと回転伝達され、巻取軸４ａが矢印Ａ方向に回転するよう伝達される。
【００５４】
同様に、第１伝達経路ＴＲ１の観点からは、図２に示すように巻取軸４ｂを回転させる駆動歯車１６が矢印Ｂ方向に回転するとき、図４（ｂ）に示す遊び付き伝達歯車ユニット１７にて伝達片１８３が伝達片１９２に当接し、更には伝達片１９５が伝達片２０４に当接するまでの角度範囲（遊び角θ）では、駆動歯車１６の回転が被動歯車３１へと回転伝達させないが、当該遊び角θを経ると駆動歯車１６の回転が被動歯車３１へと回転伝達され、巻取軸４ａが矢印Ｂ方向に回転するよう伝達される。
【００５５】
（第２伝達経路）
第２伝達経路ＴＲ２は、図６（ａ），（ｂ），（ｃ），（ｄ）にそれぞれ示すように、駆動歯車１６、伝達歯車２１、カムクラッチ付き伝達歯車ユニット２２、及び被動歯車３１がそれぞれ噛合されて構成される。
【００５６】
図６（ａ）に示す被動歯車３１、及び図６（ｄ）に示す駆動歯車１６は、それぞれ上述した図４（ａ）及び図４（ｄ）を参照して説明したとおりである。
【００５７】
伝達歯車２１は、図６（ｃ）に示すように、平ギヤとして構成され、その中心軸孔２１１がケース１４から延びる円柱軸により回転可能に支持されて、駆動歯車１６と噛み合うようになっている。
【００５８】
そして、第２伝達経路ＴＲ２を構成するためのカムクラッチ付き伝達歯車ユニット２２は、図６（ｂ）に示すように、一対の伝達歯車２３，２８の間にブレーキスプリング２７等を有するカムクラッチ機構が設けられた構造を有している。尚、ブレーキスプリング２７の各端部２７ａ，２７ｂは、それぞれ図３に示すケース１４に設けられた係止部１４１，１４２にて係止される。
【００５９】
図７を参照して、カムクラッチ付き伝達歯車ユニット２２の構造について説明する。図７（ａ）に示すように、カムクラッチ付き伝達歯車ユニット２２は、伝達歯車２３、切替ドラム２４、切替ボール２５、切替ケース２６、ブレーキスプリング２７、及び伝達歯車２８から構成される。本例では、この２つの伝達歯車２３，２８の各歯数は同数としており、図６（ｃ）に示す伝達歯車２１、並びに、図４（ｂ）に示す伝達歯車１８，２０の各歯数に対しても同数としている。
【００６０】
伝達歯車２３は、図６（ｃ）に示す伝達歯車２１に噛み合うよう構成され、その中心軸孔２３１がケース１４から延びる円柱軸により回転可能に支持されている。また、伝達歯車２３の図示右方の面には切替ギヤ２３２が突出しており、この切替ギヤ２３２の先端部に円凹部２３３が形成されている。
【００６１】
切替ドラム２４は、略円筒状の外形を有し、その外周面には切替ボール２５の略半球分の深さの切替溝部２４２が図７（ｂ）に示す溝形状で形成され、この切替溝部２４２により切替ボール２５を相対移動可能としている。また、切替ドラム２４には、当該伝達歯車２３を支持するためのケース１４から延びる当該円柱軸を挿通し、且つ伝達歯車２３の切替ギヤ２３２と常に噛合しながら、軸方向に相対移動可能（スライド可能）とするギヤ溝２４１が形成されている。ただし、ギヤ溝２４１は、図８及び図９を参照して後述するが、切替ドラム２４の図示左方の面から軸方向に略中央位置程度の位置で形成されており、ギヤ溝２４１より図示右方ではより拡径した軸孔２４３が形成されている。
【００６２】
切替ケース２６は、略筒状の外形を有し、その外周面２６３にはブレーキスプリング２７が締め付けるように取着されている。そしてブレーキスプリング２７の各端部２７ａ，２７ｂは、それぞれ図３に示すケース１４に設けられた係止部１４１，１４２にて係止される。このため、切替ケース２６は、ケース１４に対して相対回転可能であるがブレーキスプリング２７により所定の制動力が働いているため、このブレーキスプリング２７による所定の制動力を超える回転力が切替ケース２６に生じない限り、ケース１４に対する切替ケース２６の相対回転は阻止されるようになっている。
【００６３】
また、切替ケース２６には、切替ドラム２４の外周面を軸方向にスライド可能に支持する軸孔２６１が形成されている。また、この軸孔２６１上に切替ボール２５の略半球分の深さの係止孔２６２が形成され、この係止孔２６２により切替ボール２５を係止可能としている。
【００６４】
伝達歯車２８は、図６（ａ）に示す被動歯車３１に噛み合うよう構成され、その中心軸孔２８１がケース１４から延びる当該円柱軸により伝達歯車２３と同軸で回転可能に支持されている。また、伝達歯車２８の図示左方の面には切替ギヤ２８２が突出しており、この切替ギヤ２８２の先端部に円凸部２８３が形成されている。伝達歯車２８の円凸部２８３は、伝達歯車２３の円凹部２３３と相対回転可能に係合して支持されるようになっている。伝達歯車２３，２８は、それぞれ円凹部２３３と円凸部２８３が形成されている点を除き、同一形状となっている。ただし、伝達歯車２３，２８は、いずれもケース１４から延びる当該円柱軸により支持されるため、このような円凹部２３３と円凸部２８３を形成せずに完全に同一形状とすることもできる。
【００６５】
そして、切替ケース２６の一側面（図示左方）にほぼ当接する位置で伝達歯車２３の歯部を構成する面が位置して、切替ケース２６の他側面（図示右方）にほぼ当接する位置で伝達歯車２８の歯部を構成する面が位置するよう組み合わされる（後述する図８（ｂ）又は図９（ｂ）参照）。
【００６６】
ここで、図７（ｂ）は、切替ドラム２４の外表面の一周分の展開状態を示している。切替ドラム２４の外表面には切替溝部２４２が形成され、切替溝部２４２は、大別して、切替角θ’を構成する調光用領域Ｓ２と、状態遷移領域を経て上昇用領域Ｓ１及び下降用領域Ｓ３が、〕状に連続して形成されている。
【００６７】
この切替角θ’は、切替ドラム２４の外径にも依存するが、前述した第１伝達経路ＴＲ１における遊び角θの回転量に要する時間と、切替角θ’の回転量に要する時間とがほぼ一致するよう設定する。従って、切替角θ’についても、第１及び第２スクリーン５ａ，５ｂにおける透光部８と遮光部９との重なり具合に関する調節範囲に依存する。
【００６８】
即ち、切替ボール２５が切替角θ’を構成する調光用領域Ｓ２上にあるとき、切替ケース２６はブレーキスプリング２７による制動力により非回転であり、切替ドラム２４は切替ケース２６内で伝達歯車２８側へとスライドしている。すると、切替ドラム２４のギヤ溝２４１が伝達歯車２８の切替ギヤ２８２と噛み合い、伝達歯車２３の回転が伝達歯車２８へと伝達される。この間における第１伝達経路ＴＲ１では、遊び付き伝達歯車ユニット１７の作用により、駆動歯車１６の回転が被動歯車３１へと非伝達となっている。これにより、図６（ｄ）に示す駆動歯車１６の回転が、図６（ａ）に示す被動歯車３１へと逆方向に同一速度で回転伝達されて、巻取軸４ａ，４ｂを逆方向に同一速度で回転するようになり、第２スクリーン５ｂの巻き取り量に応じて第１スクリーン５ａが巻き戻されて、第１及び第２スクリーン５ａ，５ｂの調光操作が可能となる。第２スクリーン５ｂの巻き取り量に応じて第１スクリーン５ａが巻き戻されるため、ウェイトバー６及びボトムカバー７は上下動しない。尚、切替ボール２５が切替角θ’を構成する調光用領域Ｓ２上にあるとき、第２スクリーン５ｂの巻き戻しを行うときも、第２スクリーン５ｂの巻き戻し量に応じて第１スクリーン５ａが巻き取られるため、ウェイトバー６及びボトムカバー７は上下動しない。
【００６９】
一方、切替ボール２５が上昇用領域Ｓ１（又は下降用領域Ｓ３）上になると、切替ドラム２４は切替ケース２６内で伝達歯車２３側へとスライドし、切替ケース２６はブレーキスプリング２７による制動力に抗して回転する。すると、切替ドラム２４のギヤ溝２４１が伝達歯車２８の切替ギヤ２８２と噛み合わなくなり、伝達歯車２３の回転が伝達歯車２８に対し非伝達となる。これにより、図６（ｄ）に示す駆動歯車１６の回転が、被動歯車３１へと回転伝達されず、この間における第１伝達経路ＴＲ１では、遊び付き伝達歯車ユニット１７の作用により、駆動歯車１６の回転が被動歯車３１へと同方向に同一速度で回転伝達され、第１及び第２スクリーン５ａ，５ｂの昇降操作が可能となる。
【００７０】
より具体的に、第２伝達経路ＴＲ２を構成するためのカムクラッチ付き伝達歯車ユニット２２における調光操作時及び昇降動作時の動作に関して、それぞれ図８及び図９を参照して説明する。
【００７１】
〔調光操作時〕
図８（ａ）は、本発明に係る一実施例の操作装置１０における調光操作時の動作例を示す側面図であり、図８（ｂ）は、カムクラッチ付き伝達歯車ユニット２２における調光操作時の概略動作とその拡大断面視を示す正面断面図である。
【００７２】
図８（ａ）に示すように、操作装置１０のケース１４内には、第１及び第２スクリーン５ａ，５ｂの昇降操作時に作動する第１伝達経路ＴＲ１と、第１及び第２スクリーン５ａ，５ｂの調光操作時に作動する第２伝達経路ＴＲ２が設けられている。
【００７３】
第１及び第２スクリーン５ａ，５ｂの調光操作の際には、第１伝達経路ＴＲ１では、遊び付き伝達歯車ユニット１７の作用により、駆動歯車１６の回転が被動歯車３１へと非伝達となっている。
【００７４】
一方、第２伝達経路ＴＲ２では、カムクラッチ付き伝達歯車ユニット２２の作用により、駆動歯車１６の回転が被動歯車３１へと回転伝達される（図８（ａ）にて白抜き矢尻の矢印で示される回転伝達）。
【００７５】
このときのカムクラッチ付き伝達歯車ユニット２２の動作を図８（ｂ）に示している。切替ボール２５は切替角θ’を構成する調光用領域Ｓ２上にあり、ブレーキスプリング２７の各端部２７ａ，２７ｂは、それぞれケース１４に設けられた係止部１４１，１４２にて係止されるため切替ケース２６はブレーキスプリング２７による制動力により非回転である。そして、切替ボール２５は切替角θ’を構成する調光用領域Ｓ２上にあるとき、切替ドラム２４は切替ケース２６内で伝達歯車２８側へとスライドする。
【００７６】
切替ドラム２４において、ギヤ溝２４１は、図８（ｂ）における拡大断面視で示すように、切替ドラム２４の図示左方の面から軸方向に略中央位置程度の位置で形成されており、ギヤ溝２４１より図示右方ではより拡径した軸孔２４３が形成されている。
【００７７】
図８（ｂ）に示す状態では、切替ドラム２４のギヤ溝２４１が伝達歯車２８の切替ギヤ２８２と噛み合い、伝達歯車２３の回転が伝達歯車２８へと伝達される。これにより、駆動歯車１６の回転が被動歯車３１へと逆方向に同一速度で回転伝達されて、巻取軸４ａ，４ｂを逆方向に同一速度で回転するようになり、第２スクリーン５ｂの巻き取り量に応じて第１スクリーン５ａが巻き戻されて、第１及び第２スクリーン５ａ，５ｂの調光操作が可能となる。第２スクリーン５ｂの巻き取り量に応じて第１スクリーン５ａが巻き戻されるため、ウェイトバー６及びボトムカバー７は上下動しない。
【００７８】
〔昇降操作（上昇操作時）〕
図９（ａ）は、本発明に係る一実施例の操作装置１０における上昇操作時の動作例を示す側面図であり、図９（ｂ）は、カムクラッチ付き伝達歯車ユニット２２における上昇操作時の概略動作とその拡大断面視を示す正面断面図である。
【００７９】
図９（ａ）に示すように、操作装置１０のケース１４内には、第１及び第２スクリーン５ａ，５ｂの昇降操作時に作動する第１伝達経路ＴＲ１と、第１及び第２スクリーン５ａ，５ｂの調光操作時に作動する第２伝達経路ＴＲ２が設けられている。
【００８０】
第１及び第２スクリーン５ａ，５ｂの昇降操作（上昇操作）の際には、第１伝達経路ＴＲ１では、遊び付き伝達歯車ユニット１７の作用により、駆動歯車１６の回転が被動歯車３１へと回転伝達される（図９（ａ）にて白抜き矢尻の矢印で示される回転伝達）。
【００８１】
一方、第２伝達経路ＴＲ２では、カムクラッチ付き伝達歯車ユニット２２の作用により、駆動歯車１６の回転が被動歯車３１へと非伝達となっている。
【００８２】
このときのカムクラッチ付き伝達歯車ユニット２２の動作を図９（ｂ）に示している。切替ボール２５は上昇用領域Ｓ１上にあるとき、切替ドラム２４は切替ケース２６内で伝達歯車２３側へとスライドし、切替ケース２６はブレーキスプリング２７による制動力に抗して回転する。
【００８３】
切替ドラム２４において、ギヤ溝２４１は、図９（ｂ）における拡大断面視で示すように、切替ドラム２４の図示左方の面から軸方向に略中央位置程度の位置で形成されており、ギヤ溝２４１より図示右方ではより拡径した軸孔２４３が形成されている。
【００８４】
図９（ｂ）に示す状態では、切替ドラム２４のギヤ溝２４１が伝達歯車２８の切替ギヤ２８２と噛み合わなくなり、伝達歯車２３の回転が伝達歯車２８に対し非伝達となる。これにより、駆動歯車１６の回転が被動歯車３１へと回転伝達されない。
【００８５】
一方、この間における第１伝達経路ＴＲ１では、遊び付き伝達歯車ユニット１７の作用により、駆動歯車１６の回転が被動歯車３１へと同方向に同一速度で回転伝達されるため、第１及び第２スクリーン５ａ，５ｂの上昇操作が可能となる。
【００８６】
尚、切替ボール２５は下降用領域Ｓ３上にある場合もほぼ同様な動作で、切替ドラム２４のギヤ溝２４１が伝達歯車２８の切替ギヤ２８２と噛み合わなくなり、伝達歯車２３の回転が伝達歯車２８に対し非伝達となる。これにより、駆動歯車１６の回転が被動歯車３１へと回転伝達されず、第１伝達経路ＴＲ１では、遊び付き伝達歯車ユニット１７の作用により、駆動歯車１６の回転が被動歯車３１へと同方向に同一速度で回転伝達されるため、第１及び第２スクリーン５ａ，５ｂの下降操作が可能となる。
【００８７】
このような動作により、第１及び第２スクリーン５ａ，５ｂを一括して昇降操作した後に、ボールチェーン１１を逆方向に操作して、駆動歯車１６を逆方向に回転させたとき、遊び付き伝達歯車ユニット１７の作用により被動歯車３１へと回転伝達されるまでは、カムクラッチ付き伝達歯車ユニット２２の作用により巻取軸４ａが巻取軸４ｂとは逆方向に回転されて調光操作が可能となる。このため、この巻取軸４ａが巻取軸４ｂとは逆方向に回転されることによる調光操作により、第２スクリーン５ｂの巻き取り量に応じて第１スクリーン５ａが巻き戻され、或いは第２スクリーン５ｂの巻き戻し量に応じて第１スクリーン５ａが巻き取られるため、ウェイトバー６及びボトムカバー７は上下動しない。
【００８８】
例えば、図１０（ａ）に示すように高さｈの位置にあるボトムカバー７にて、第１及び第２スクリーン５ａ，５ｂにおける透光部８と遮光部９とが前後方向で重なる状態にあるとする。この状態で、図１０（ｂ）に示すように調光操作を行うと、遊び付き伝達歯車ユニット１７の作用による駆動歯車１６から被動歯車３１への回転伝達は為されず、カムクラッチ付き伝達歯車ユニット２２の作用による駆動歯車１６から被動歯車３１への回転伝達が為され、巻取軸４ａが巻取軸４ｂとは逆方向に回転された調光操作が可能となる。この巻取軸４ａが巻取軸４ｂとは逆方向に回転されることによる調光操作により、第２スクリーン５ｂの巻き取り量に応じて第１スクリーン５ａが巻き戻されるため、ボトムカバー７は高さｈの位置からほとんど上下動しない。
【００８９】
ボールチェーン１１の操作で、この図１０（ｂ）に示す調光操作から連続して上昇操作へと移行すると、図１０（ｃ）に示すように、第１及び第２スクリーン５ａ，５ｂにおける各透光部８（或いは各遮光部９）が前後方向でほぼ一致する状態でボトムカバー７は高さｈの位置から上昇する。尚、調光操作から連続して下降操作へと移行するときも同様に動作するが、下降操作のときは、例えば図１０（ａ）に示すように、ボトムカバー７の下限位置まで、第１及び第２スクリーン５ａ，５ｂにおける透光部８と遮光部９とが前後方向で重なる状態を維持して下降する。
【００９０】
このように構成した本実施形態のロールスクリーンは、ウェイトバー６及びボトムカバー７を上下動させることなく採光量の調節動作を行うことができる。
【００９１】
そして、本実施形態のロールスクリーンにおける調光動作は、ウェイトバー６及びボトムカバー７が下限位置であるか否かに関わらず同様に動作するため、ウェイトバー６及びボトムカバー７の任意位置での調光機能、或いは通気調整機能を持たせたロールスクリーンを実現できる。
【００９２】
特に、ボトムカバー７が下限位置にあるときに、採光量を調節可能な態様でボトムカバー７の下方からの光漏れを防止することや、通気量を調節可能な態様でボトムカバー７の下方からの気密性を高めることができる。
【００９３】
また、ウェイトバー６に対してボトムカバー７を相対移動可能とする構成よりも、ウェイトバー６及びボトムカバー７の小型化にも寄与することとなる。
【００９４】
特に、本実施形態では、前後二重の第１及び第２スクリーン５ａ，５ｂをより近接、或いは密着させる構成で、ウェイトバー６及びボトムカバー７を上下動させることなく採光量の調節動作を行うことができるため、第１及び第２スクリーン５ａ，５ｂにおける透光部８と遮光部９とが前後方向で重なる状態としたときに、その遮光性能をより高めることができる。
【００９５】
〔第２実施形態〕
次に、図１１を参照して、第２実施形態のロールスクリーンについて説明する。尚、上述した第１実施形態のロールスクリーンと同様な構成要素には同一の参照番号を付している。第１及び第２スクリーン５ａ，５ｂにおける透光部８と遮光部９とが前後方向で重なる状態としたときに、その遮光性能を高めるよりも、前後二重の第１及び第２スクリーン５ａ，５ｂ間に積極的に空気層を設けており、断熱作用を働かせるようにしている。ただし、透光部８と遮光部９は、断熱作用を働かせるために、いずれも低通気性とするのが望ましい。
【００９６】
即ち、図１１（ａ）に示すように、本実施形態では、巻取軸４ａではその室外側から第１スクリーン５ａを支持し、巻取軸４ｂではその室内側から第２スクリーン５ｂを支持する構成とし、第１及び第２スクリーン５ａ，５ｂをそれぞれほぼ鉛直方方向へ垂下するようにしている。
【００９７】
ただし、本実施形態では、昇降操作時において、巻取軸４ａ，４ｂが逆方向に同一速度で回転可能に構成される。このため、例えば図１１（ｂ）に示すように、操作装置１０のケース１４内にて、図３に示す構造を有する操作装置１０と比して、遊び付き伝達歯車ユニット１７とカムクラッチ付き伝達歯車ユニット２２の配置を互いに入れ替えたものとしている。
【００９８】
従って、本実施形態における昇降操作時では、駆動歯車１６の回転に基づいて巻取軸４ｂが回転され、駆動歯車１６の回転に基づいて、第１伝達経路ＴＲ１による遊び付き伝達歯車ユニット１７を介して被動歯車３１が回転すると、巻取軸４ａが同一速度で逆方向に回転するようになっている。
【００９９】
一方、調光操作時では、駆動歯車１６の回転に基づいて巻取軸４ｂが回転され、駆動歯車１６の回転に基づいて、第２伝達経路ＴＲ２によるカムクラッチ付き伝達歯車ユニット２２を介して被動歯車３１が回転すると、巻取軸４ａが同一速度で同方向に回転するようになっている。
【０１００】
尚、第２実施形態では、第１実施形態と比較して、巻取軸４ａ，４ｂの回転方向に関する相対関係が反転しているのみであり、調光操作により、第２スクリーン５ｂの巻き取り量に応じて第１スクリーン５ａが巻き戻され、或いは第２スクリーン５ｂの巻き戻し量に応じて第１スクリーン５ａが巻き取られる点で同様である。このため、本実施形態においても、ウェイトバー６及びボトムカバー７をほとんど上下動させることなく、調光操作が可能である。
【０１０１】
尚、図１１にて例示する実施形態では、その基本構造の理解を高めるために、巻取軸４ａ，４ｂによりそれぞれ第１及び第２スクリーン５ａ，５ｂをほぼ鉛直方方向へ垂下して構成する例を説明している。
【０１０２】
しかしながら、実用上では、巻取軸４ｂの下方で前後二重の第１及び第２スクリーン５ａ，５ｂをより近接させるよう、支持ブラケット３の下方に開口部を有する部材を設け、この開口部で前後二重の第１及び第２スクリーン５ａ，５ｂの垂下を案内するように構成する。更に、ボトムカバー７の構造は図２に示すように構成して、第１及び第２スクリーン５ａ，５ｂを上方へ案内するよう構成するのが好適である。
【０１０３】
従って、前後二重の第１及び第２スクリーン５ａ，５ｂ間に積極的に空気層を設ける際に、その第１及び第２スクリーン５ａ，５ｂ間の距離は、随意、設定することができる。
【０１０４】
図１１に示す実施形態においては、前後二重の第１及び第２スクリーン５ａ，５ｂ間に積極的に空気層を設けていることから、その遮光性能を高めるよりむしろ断熱作用を働かせるようにしているが、その他については上述した第１実施形態にて例示した利点を包含する。
【０１０５】
（スクリーンの変形例）
上述した実施形態の例では、第１及び第２スクリーン５ａ，５ｂが、光を透過する透光部８と、光を遮光する遮光部９が等間隔で上下方向に縞状に形成されている例を説明したが、これに限定する必要はない。
【０１０６】
例えば、図１に示すロールスクリーンにおける第１及び第２スクリーン５ａ，５ｂの変形例として、図１２（ａ）に例示するように、第１及び第２スクリーン５ａ，５ｂが、ウェイトバー６が下限位置にあるときに第１及び第２スクリーン５ａ，５ｂの上下端部の所定領域のみ透光部８とし、その他の領域が遮光部９となるようにして採光量を調節可能とするロールスクリーンとすることができる。
【０１０７】
また、図１２（ｂ）に例示するように、透光部８と遮光部９を市松状（或いは千鳥状）とした第１及び第２スクリーン５ａ，５ｂとすることができる。
【０１０８】
また、図１２（ｃ）に例示するように、透光部８と遮光部９を斜平行に縞状とした第１及び第２スクリーン５ａ，５ｂとすることができる。
【０１０９】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、巻取軸４ａ，４ｂの回転操作のためにボールチェーンによる操作を例に説明したが、紐状の操作コードよる回転操作としてもよい。
【０１１０】
また、上述した各実施形態の例では、第１伝達経路ＴＲ１における遊び角θの回転量に要する時間と、切替角θ’の回転量に要する時間とがほぼ一致するよう設定するとして説明したが、厳格さが要求されるものではない。但し、第１伝達経路ＴＲ１及び第２伝達経路ＴＲ２の切り替え伝達をよりスムーズにするために、遊び角θの回転量≧切替角θ’の回転量であることが好ましい。
【０１１１】
また、上述した各実施形態の例では、第１伝達経路ＴＲ１と第２伝達経路ＴＲ２が操作装置１０内で前後方向に分離して形成されている例を説明したが、操作装置１０内で左右方向（巻取軸４ａ，４ｂの回転軸方向）に分離して形成するよう構成することも可能である。
【０１１２】
更に、上述した各実施形態の例では、第１伝達経路ＴＲ１を構成するための遊び付き伝達歯車ユニット１７と、第２伝達経路ＴＲ２を構成するためのカムクラッチ付き伝達歯車ユニット２２とを分離した部材として説明したが、第１伝達経路ＴＲ１と第２伝達経路ＴＲ２を一体的な切替機構として構成することもできる。例えば、１つの伝達経路となるように、遊び付き伝達歯車ユニット１７の機能とカムクラッチ付き伝達歯車ユニット２２の機能とを切り替える機構を設けることで実現される。
【産業上の利用可能性】
【０１１３】
本発明によれば、前後二重のスクリーンの相対移動による採光量の調整時、更には昇降操作の切り替え時に、錘部材の大型化を抑えつつ錘部材の上下動を防止可能となるので、前後二重のスクリーンを有するロールスクリーンの用途に有用である。
【符号の説明】
【０１１４】
１  取付ブラケット
２  フレーム
３  支持ブラケット
４ａ，４ｂ  巻取軸
５ａ  第１スクリーン
５ｂ  第２スクリーン
６  ウェイトバー
７  ボトムカバー
８  透光部
９  遮光部
１０  操作装置
１１  ボールチェーン
１４  操作装置のケース
１６  駆動歯車
１７  遊び付き伝達歯車ユニット
２１  伝達歯車
２２  カムクラッチ付き伝達歯車ユニット
３１  被動歯車
【図１】
2018035565.tif 000003
【図２】
2018035565.tif 000004
【図３】
2018035565.tif 000005
【図４】
2018035565.tif 000006
【図５】
2018035565.tif 000007
【図６】
2018035565.tif 000008
【図７】
2018035565.tif 000009
【図８】
2018035565.tif 000010
【図９】
2018035565.tif 000011
【図１０】
2018035565.tif 000012
【図１１】
2018035565.tif 000013
【図１２】
2018035565.tif 000014